【事件の表示】
　特許第３２８４４４２号「テーププリンタ」の請求項１ないし５に係る特許に対する特許異議の申立てについて、次のとおり決定する。
【結　論】
　訂正を認める。
　特許第３２８４４４２号の請求項に係る特許を維持する。
【理　由】
１．手続の経緯
　本件特許第３２８４４４２号の請求項１乃至５に係る発明は、国内優先日を平成２年８月２９日、遡及出願日を平成３年６月２７日とし、平成１４年３月８日にその特許権の設定登録がなされたものであるが、その後、特許異議申立人竹森芳子より異議の申立がなされ、取消の理由が通知され、その指定期間内である平成１５年３月２８日に訂正請求がなされたものである。
　　　　　　　　　　　　　　　　　　　　　　　　　　　　　　　　　
２．訂正の適否についての判断
（１）訂正の内容
Ａ．訂正事項ａ
　特許明細書の段落【００４９】ないし【００５４】の記載を削除する。
Ｂ．訂正事項ｂ
　特許明細書の【図面の簡単な説明】の図１８ないし図２０までの記載を削除する。
Ｃ．訂正事項ｃ
　図面において、【図１８】ないし【図２０】を削除する。
　　　　　　　　　　　　　　　　　　　　　　　　　　　　　　　　　
（２）訂正の目的の適否、新規事項の有無及び拡張・変更の存否
　訂正事項ａ−ｃいずれも、特許明細書の不明瞭な記載の釈明を目的とするものであって、願書に添付した明細書または図面に記載された範囲内の訂正であり、実質的に特許請求の範囲を拡張または変更するものではない。
（３）むすび
　したがって、上記訂正は、特許法等の一部を改正する法律（平成６年法律第１１６号）附則第６条第１項の規定によりなお従前の例によるとされる、第１２０条の４第３項において準用する平成６年法律第１１６号による改正前の特許法第１２６条第１項ただし書、第２項及び第３項の規定に適合するので、当該訂正を認める。
　　　　　　　　　　　　　　　　　　　　　　　　　　　　　　　　　　　　　
３．特許異議申立てについての判断
（１）申立ての理由の概要
　　特許異議申立人竹森芳子は、請求項１乃至５に係る発明は、特許法第３６条第５項第１号に規定する記載要件をみたしていないものであり、特許法第１１３条第４項に該当するものであることから、同法第１１４条第２項の規定に基いて特許を取り消すべきものであると主張している。
　
（２）本件特許発明
　上記２．で示したように、上記訂正が認められるから、本件の請求項１乃至５に係る発明は、上記訂正請求に係る訂正明細書の特許請求の範囲の請求項１乃至５に記載された事項により特定されるとおりのものである。
　　　　　　　　　　　　　　　　　　　　　　　　　　　　　　　　　
（３）判断
　請求項１について検討する。
　本件特許明細書の【課題を解決するための手段】欄である段落【０００６】乃至【０００８】には、本件発明の「余白設定手段により印字機構とテープカッタ機構との間の所定距離と同一の１つの余白データを選択設定し、これを文字等の前後に形成される共通の余白データとして使用し、テープの送り制御を行う」点について記載されており、さらに【発明の詳細な説明】欄にはその具体的な実施例が図面とともに開示されているものと認められるから、特許異議申立人の主張を採用することはできない。
　他の請求項を検討しても同様の理由から、本件特許明細書及び図面の記載が不備であるとすることはできない。
　　　　　　　　　　　　　　　　　　　　　　　　　　　　　　
（４）むすび
　以上のとおりであるから、特許異議申立ての理由及び証拠によっては、本件請求項１乃至５に係る特許を取り消すことができない。
　また、他に本件請求項１乃至５に係る特許を取り消すべき理由を発見しない。
　よって結論のとおり決定する。
【異議決定日】
平成１５年５月６日（２００３．５．６）
【訂正の要旨】
　▲１▼　特許第３２８４４４２号公報第７頁第１３欄第２４行目から同頁第１４欄第４６行目（段落番号【００４９】から【００５４】）までを削除する。
　▲２▼　特許第３２８４４４２号公報第７頁第１４欄第４７行目【００５５】を【００４９】とする。
　▲３▼　特許第３２８４４４２号公報第８頁第１６欄第８行目から同欄第１３行目（【図面の簡単な説明】の【図１８】ないし【図２０】）までを削除する。
　▲４▼　図１８ないし図２０を削除する。
（５４）【発明の名称】
テーププリンタ
（５７）【特許請求の範囲】
　【請求項１】　テープ送り機構と、前記テープ送り機構により送られたテープ上に文字等の印字を行う印字機構と、前記テープ送り機構によるテープ送り方向に沿って前記印字機構から所定距離だけ離間されるとともに前記印字機構よりも下流側に配設されたテープカッタ機構とを有するテーププリンタにおいて、
　前記テープにおける文字等が印字される部分の前後に設定する余白を、予め決められた余白の大きさを表す複数の余白データとして表示する表示手段と、
　印刷データ毎に前記複数の余白データから１つの余白データを選択設定可能な余白設定手段と、
　前記テープにおける文字等が印字される部分の前に少なくとも設定された余白を残すように前記テープ送り機構を制御し、前記テープにおける文字等が印字される部分の後ろに前記設定された余白を形成するように前記テープ送り機構を制御する制御手段とを備え、
　前記複数の余白データの１つは前記印字機構と前記テープカッタ機構との間の所定距離と同一であり、前記余白設定手段により、前記所定距離とほぼ同一の余白データが選択設定されたとき、前記制御手段は、前記テープの端から前記所定距離とほぼ同一の距離を残した位置から前記印字機構の動作と同期して前記テープ送り機構の動作を開始し、また、文字等の印字終了後、前記テープ送り機構により前記テープを、前記所定距離のほぼ２倍送るように制御することを特徴とするテーププリンタ。
　【請求項２】　前記複数の余白データの１つは前記印字機構と前記テープカッタ機構との間の所定距離よりも小さく、前記所定距離よりも小さい余白データを選択したき、前記制御手段は、前記テープの端から前記所定距離よりも大きい距離を残した位置から前記印字機構の動作を開始し、印字動作後、前記テープ送り機構により前記テープを、前記余白データと前記所定距離の和だけ送るように制御することを特徴とする請求項１に記載のテーププリンタ。
　【請求項３】　前記所定距離よりも小さい余白データを選択したとき、前記制御手段は、印字開始端よりも前記余白データだけ前の位置が前記テープカッタ機構に達するように前記テープを送るように制御することを特徴とする請求項２に記載のテーププリンタ。
　【請求項４】　前記印字機構と前記テープカッタ機構との間に、前記印字機構により印字がなされたテープに、一面に剥離紙が貼着された両面粘着テープの他面の粘着面を圧着する圧着機構が配設されていることを特徴とする請求項１、２または３に記載のテーププリンタ。
　【請求項５】　前記テープ及び前記両面粘着テープを内部に収納するとともに、前記テープ及び前記両面粘着テープの端部を外部へ露出させるテープカセットであって、装置に装着することにより、カセット外部へ露出している前記テープを前記印字機構の印字位置に配置するとともに、前記テープ及び前記両面粘着テープを前記圧着機構の圧着位置に配置するテープカセットを備え、
　前記圧着手段は、前記テープカセットに設けられた第１ローラと、装置側に設けられたローラであって、前記第１ローラと協働して前記テープに前記両面粘着テープの粘着面を圧着する第２ローラとから構成されることを特徴とする請求項１ないし４のいずれかに記載のテーププリンタ。
【発明の詳細な説明】
　【０００１】
　【産業上の利用分野】
　本発明は文字図形をテープ状の被印刷物に印刷するテーププリンタに係わり、特にテープをカットするためのカット手段を有するテーププリンタにおいて、カット手段の制御に関するものである。
　【０００２】
　【従来の技術】
　従来のテーププリンタにおいて、印刷手段とカット手段とが位置的に離れているため、印刷したテープの印刷部の前には、印刷手段とカット手段の距離分の余白が残っていた。また、印刷の完了したテープ片を得るためには印刷終了後、テープ送り手段によってテープを所定の位置まで送り、その後でテープカットを行っていた。
　【０００３】
　この種のプリンタは、特開Ｈ２−１４７２７２（ＵＳＰ４８３６６９７）、特開Ｓ５８−５００４７５（ＵＳＰ４４６２７０８）などがある。
　【０００４】
　【発明が解決しようとする課題】
　一般的に印字部分の前後に同じ大きさの余白を形成することが多く、また見栄えもよい。しかし、この印字部分の前後の余白（マージン）を、それぞれ数値入力することは、それが上記の印刷手段とカット手段の距離分の余白であっても、入力操作が面倒なものとなる。また、前後の余白の寸法（大きさ）は、印字部分との関係や貼着対象物との関係で、ユーザにとって厳密な寸法でなくても感覚的に良好とされる寸法で十分である。
　【０００５】
　本発明は、印字部分の前後の余白設定を簡単に行うことができるテーププリンタを提供することをその目的としている。
　【０００６】
　【課題を解決するための手段】
　本発明のテーププリンタは、テープ送り機構と、テープ送り機構により送られたテープ上に文字等の印字を行う印字機構と、テープ送り機構によるテープ送り方向に沿って印字機構から所定距離だけ離間されるとともに印字機構よりも下流側に配設されたテープカッタ機構とを有するテーププリンタにおいて、テープにおける文字等が印字される部分の前後に設定する余白を、予め決められた余白の大きさを表す複数の余白データとして表示する表示手段と、印刷データ毎に複数の余白データから１つの余白データを選択設定可能な余白設定手段と、テープにおける文字等が印字される部分の前に少なくとも設定された余白を残すようにテープ送り機構を制御し、テープにおける文字等が印字される部分の後ろに設定された余白を形成するようにテープ送り機構を制御する制御手段とを備え、複数の余白データの１つは印字機構とテープカッタ機構との間の所定距離と同一であり、余白設定手段により、所定距離とほぼ同一の余白データが選択設定されたとき、制御手段は、テープの端から所定距離とほぼ同一の距離を残した位置から印字機構の動作と同期してテープ送り機構の動作を開始し、また、文字等の印字終了後、テープ送り機構によりテープを、所定距離のほぼ２倍送るように制御することを特徴とする。
　【０００７】
　この場合、複数の余白データの１つは印字機構とテープカッタ機構との間の所定距離よりも小さく、所定距離よりも小さい余白データを選択したき、制御手段は、テープの端から所定距離よりも大きい距離を残した位置から印字機構の動作を開始し、印字動作後、テープ送り機構によりテープを、余白データと所定距離の和だけ送るように制御することが、好ましい。
　【０００８】
　この場合、所定距離よりも小さい余白データを選択したとき、制御手段は、印字開始端よりも余白データだけ前の位置がテープカッタ機構に達するようにテープを送るように制御することが、好ましい。
　【０００９】
　これらの場合、印字機構とテープカッタ機構との間に、印字機構により印字がなされたテープに、一面に剥離紙が貼着された両面粘着テープの他面の粘着面を圧着する圧着機構が配設されていることが、好ましい。
　【００１０】
　これらの場合、テープ及び両面粘着テープを内部に収納するとともに、テープ及び両面粘着テープの端部を外部へ露出させるテープカセットであって、装置に装着することにより、カセット外部へ露出しているテープを印字機構の印字位置に配置するとともに、テープ及び両面粘着テープを圧着機構の圧着位置に配置するテープカセットを備え、圧着手段は、テープカセットに設けられた第１ローラと、装置側に設けられたローラであって、第１ローラと協働してテープに両面粘着テープの粘着面を圧着する第２ローラとから構成されることが、好ましい。
　【００１１】
　【発明の実施の形態】
　以下本発明の実施形態を図面に従って説明する。
　【００１２】
　図１は本発明の一実施形態を示すテーププリンタの外観図である。本体１は、上ケース２と下ケース３とカセットカバー４でケーシングされており、図ではカセットカバー４が開いてテープカセット１４７、リボンカセット１４８を装着した状態にある。
　【００１３】
　１５は、表示装置で液晶表示装置を用いている。２０は、キーボードで電源キー２１、プリントキー２２、文字キー２３、ファンクションキー２４等のキーが配列されている。
　【００１４】
　図２、図３は本発明のテーププリンタの機構部の構成を示す略図であり、図２はテープカセット無し時の構造を示す上面図であり、図３は図２の左側面図である。図２、図３から判るようにテープカセット装着部のカセットカバー４は開いている。これより図２、図３を用いて構造の説明を行う。
　【００１５】
　１０５は等間隔に複数の発熱体（図示しない）を有しヘッド支持体１０６に保持されている印刷ヘッド、１０７はレリーズレバ軸１１６との当接部１０７−１を有しヘッドアーム軸１０９に軸支されたヘッドアーム、１０８はヘッドアーム１０７にヘッド支持体１０６を軸支させる役目を成すヘッド支持軸、１１０はヘッドアーム１０７を矢印Ａ１７方向に付勢する役目をするヘッド押えばねである。１１１はテープ送り歯車１２８（図５に示す）の軸部１２８−１に固着したテープ送りローラ、１１２は当接部１１２−１を有しテープ送り歯車１２８を保持しているテープ送りローラホルダ、１１３は軸部１２８−１を矢印Ａ１９方向に付勢する役目を成すテープ送りローラばね、１２９はテープ送りローラホルダ１１２を軸支しているテープ送りローラホルダ軸である。１１４はメインフレーム１０１に固着したレリーズレバ支持軸１１５に軸支され両矢印Ａ１５，Ａ１６方向に回動可能なレリーズレバー、１１６はレリーズレバ１１４に固着しているレリーズレバ軸である。１１７はサブフレーム７にガイドされ両矢印Ａ１２，Ａ１３方向に移動可能でかつレリーズレバ１１４に当接している解除レバ、４は解除レバ１１７の移動を制御する役目をする矢印Ａ１１方向へ回動可能な解除カム６を有し解除カム軸１２１を支点として矢印Ａ１０方向に回動可能なカセットカバー、３はメインフレーム１０１を固定しているプリンタ下ケースである。１１８は下ケース３と一体成形された、解除カム軸１２１を支軸する支柱である。１０３はモータ歯車１２２を有したモータ、１２６はモータ歯車１２２の回転を伝達歯車１２３から伝達歯車１２４と噛合して駆動するリボン巻取歯車、１０４はリボン巻取歯車１２６によって駆動されるリボン巻取軸、１２７は伝達歯車１２３と伝達歯車１２５を介してモータ歯車１２２の回転を受けるテープ送り伝え歯車、１３０はテープ送り伝え歯車軸、１３１はプラテンローラ軸である。
　【００１６】
　１３３はテープカセットの有り無しとテープの幅などのテープカセットの種類を検出するカセット検出器１３２のスイッチ部である。
　【００１７】
　１３４、１３５はテープを切断するカッタ刃である。プリンタフレーム１０１に固定された固定刃１３４とＤＣモータ１４６の駆動により、ウオームギア１４５が回転し、伝達歯車１４３、伝達歯車１４２、伝達歯車１４１を介して、カッタ駆動歯車１３９が回転する。矢印Ａ２０，Ａ２１，Ａ２２，Ａ２３はテープカットの回転方向を示す。そしてカッタ駆動歯車１３９にはカム曲線の溝１４０が彫られており、この溝の中をカッタアーム１３７に取り付けられたカッタ駆動ピン１３８が上下移動する。つまりカッタ駆動歯車１３９の回転によってカッタ駆動ピン１３８はカッタ回動軸１３６を中心に回動する。この回動運動によってカッタアーム１３７に取り付けられたカッタ刃１３５が回動し、テープ押さえローラ１５０（図４に示す）とテープ送りローラ１１１によって送り出されて来る印刷テープ１５４をカットする。１５９は、カッタ駆動歯車１３９の突起部１３９−１によりカッタホーム位置を検出するマイクロスイッチからなるカッタホーム検出器である。
　【００１８】
　図２に於て、解除カム６によって解除レバ１１７は両矢印Ａ１２、Ａ１６方向に押されている。従って解除カム６に於いてはヘッド押えばね１１０とテープ送りローラばね１１３の力によって両矢印Ａ１３、Ａ１５方向への反力を受けており、両矢印Ａ１６，Ａ１５方向への回転が阻止されている。以上が本発明のテーププリンタの構造を示す説明である。
　【００１９】
　図４は、本発明のテーププリンタ機構部にテープカセット１４７、リボンカセット１４８を装着した図である。テープカセット１４７はリボンカセット１４８の側面部を覆うように装着される。テープカセット１４７の中には印刷が施される透明テープ１５１と、これの印刷面を保護するための両面粘着テープ１５２が装填されている。図４の状態は、カセットカバー４が閉じた状態で、本体側のヘッド支持体１０６がテープカセット１４８側のプラテンローラ１４９に圧接され、本体側のテープ送りローラ１１１がテープカセット側のテープ押さえローラ１５０に圧接されていて、透明テープ１５１とインクリボン１５３をヘッド支持体１０６とプラテンローラ１４９が、両面粘着テープ１５２と透明テープ１５１をテープ送りローラ１１１とテープ押さえローラ１５０がそれぞれ加圧し狭持している。
　【００２０】
　図５は、本発明のテーププリンタのブロック図である。
　【００２１】
　テーププリンタの入力、出力等のすべての各デヴァイスはＣＰＵ５０によって統括制御される。ＣＰＵ５０には数多くのＩ／Ｏポート７１、７２があり、入出力制御を行う。液晶表示装置１５はＬＣＤドライバ７３を介して制御される。２０はキーボードでＣＰＵ５０から直接キースキャンニングを行いどのキーが入力されたかを検知する。７５は警告や応答を知らせるブザーであり、ブザードライバ７４を介してＣＰＵ５０が制御する。５１はＲＯＭであり、プログラム５２、表示用キャラクタジェネレータ（以下ＣＧと称す）５３、印刷用ＣＧ５４、５５、５６を内蔵している。複数の印刷用ＣＧを持つことにより、複数の文字フォントの印刷を可能にしている。
　【００２２】
　５７はＲＡＭであり、編集バッファ５８、表示用バッファ５９、印刷用バッファ６０、作業エリア６１、スタックエリア６２、印刷設定の文字高さ設定６３、文字幅設定６４、文字装飾設定６５、文字間スペース設定６６、テープ長さ設定６７、前部マージン設定６８、フォント選択６９、リピート設定７０などを記憶している。
　【００２３】
　７６はテープ送りを行うステップモータドライバでステップモータ１０３を駆動する。また７７はカッタ駆動を行うＤＣモータドライバでＤＣモータ１４６を駆動する。１０５は印刷ヘッドであり、本発明ではサーマルヘッドを用いている。印刷ヘッド１０５は、ヘッドドライバ７９を介して駆動する。印刷ヘッド１０５はヘッド支持体１０６とヘッドアーム１０７、ヘッド支持軸１０８、ヘッドアーム軸１０９で支持されている。１３２はテープカセット検出器で、２本のスイッチ部１３３により、テープカセットのありなしや、複数のテープ幅を検出する。ステップモータ１０３が正転駆動されると、モータ歯車１２２が矢印Ａ１方向に回転し、伝達歯車１２３がＡ２方向に回転する。伝達歯車１２３から伝達歯車１２５を介してテープ送り伝え歯車１２７がＡ６方向に回転し、さらにテープ送り歯車１２８が回転してテープ送りローラ１１１がテープを送り出す。テープ押さえローラ１５０はテープカセット側に装着されており、テープカセット１４７装着時には、印刷テープ１５４をはさんでテープ送りローラ１１１に圧着している。１３０はテープ送り伝え歯車軸であり、テープ押さえローラ１５０の支持軸も兼ねている。伝達歯車１２３は、伝達歯車１２４も回転させ、リボン巻取歯車１２６も回転させる。リボン巻取歯車１２６の回転により、リボン巻取軸１０４が矢印Ａ４方向に回転しリボン巻取コア１５８と契合してリボン１５３を巻取る。矢印Ａ３、Ａ５、Ａ７はテープ送りする歯車の回転方向を示している。７８は上記全ての回路を駆動する電源である。
　【００２４】
　つづいて、本発明のテーププリンタの印刷制御について説明する。
　【００２５】
　図６は、テープ印刷の説明図で、５８はＲＡＭ５７内の編集バッファでありキーボードから入力された文字群２００を記憶している。２０１は編集文字の終わりを示す終了コードである。６０は、ＲＡＭ５７内に確保されている印刷バッファであり、図にしめすとうり、編集バッファ５８内の文字をＲＯＭ５１内の印刷ＣＧを用いてビットマップに展開するメモリである。印刷バッファ６０内の２０２と２０３はそれぞれドットのあるなしを示している。印刷バッファ６０内の縦方向の列が左側から順に印刷ヘッド１０５に送信され通電を行うと図６（ｃ）の様に印刷を行う。図６（ｃ）では印刷文字「Ａ」の一部を印刷ヘッド１０５に送信し通電を行った時の印刷ドットを示す。２０４は印刷しないドットを２０５は印刷したドットを示す。各通電は、１列毎に行われ、その間にステップモータ１０３が駆動されテープ送りが行われる。ドット列間の距離ｄ１はステップモータ１０３の駆動によりテープ送りローラ１１１の回転送り量により制御している。図７は、本発明のテーププリンタの印刷テープ１５４とヘッド位置の関係について示した図である。矢印Ａ３０はテープ送り方向、２１７はヘッド位置とカッタ位置の距離分の余白のテープであり、２１０はその長さを示している。２１１はテープ長で、前部マージン２１２、印刷範囲２１３、後部マージン２１４の総和である。２１５はテープ幅で、２１６は印刷幅である。
　【００２６】
　初期状態では印刷ヘッド１０５はＨ１に位置している。印刷指令を受けると前部マージン２１２分テープを送る。印刷ヘッド１０５がＨ２の位置にくると印刷を開始する。印刷開始後前部マージンの先端がカッタ位置にくる時、印刷ヘッド１０５はＨ３の位置にあり、印刷を停止しカット処理を行う。カット後印刷を再開し印刷を終了すると印刷ヘッド１０５はＨ４に位置する。印刷を停止し後部マージン２１４分のテープ送りを行う。このときＨ５に位置する。そして印刷したテープ片を得るために、ヘッドカッタ間距離２１０分のテープを送った後、カットを行なう（印刷ヘッド１０５の位置はＨ６）。このときのヘッドカッタ間距離２１０分のテープは無駄である。その無駄を解消する方法は後で述べる。
　【００２７】
　さて、カット時のドット間の縦抜けを防ぐ為に、本発明の実施形態を説明する。その方法の１つは、ステップモータのホールド制御であり、他の１つはテープカット前後にテープを逆転させる方法である。
　【００２８】
　まず、ステップモータのホールド制御について説明する。本実施形態では２つの方法について例をあげる。その１つは電流制御であり、他の１つはチョッピング制御である。
　【００２９】
　図８はステップモータの駆動制御回路の略図である。図９は図８の駆動制御回路の駆動方法を示すタイミング図である。図１０はステップモータのホールド制御をモータ駆動制御により実現したタイミング図である。
　【００３０】
　図８のステップモータの駆動制御回路はステップモータ１０３の電流制限回路を電流制限抵抗２３７と大電流をバイパスするトランジスタ２３６によって簡単に構成したものである。ホールド信号２３５が入るとトランジスタ２３６はＯＦＦ状態となり電流は電流制限抵抗２３７を通して流れる。ホールド信号２３５が入らない時はトランジスタ２３６はＯＮ状態になり大きな電流が流せるようになる。このようにしてステップモータの回転を停止させ小電力でホールド状態にするものである。図中２３０はステップモータ駆動ドライバであり、２３１、２３２、２３３、２３４はそれぞれステップモータの１相、２相、３相、４相の各端子を示す。
　【００３１】
　図９において、２４０、２４１、２４２、２４３はそれぞれステップモータの１相、２相、３相、４相の各タイミング信号である。また２４４は、ホールド信号を示す。Ｔ１，Ｔ３区間はステップモータの回転制御区間であり、Ｔ２区間はホールド制御区間である。図８で説明した通り、ホールド信号２４４がＨＩＧＨの状態（Ｔ２区間）ではトランジスタ２３６がＯＦＦ状態となりステップモータ１２２を小電力でホールドする。このＴ２区間において、印刷したテープのカットを行う。図では４相においてホールドしている。
　【００３２】
　図１０はステップモータのホールド制御を励磁相の駆動信号を断続的に制御するいわゆるチョッピング制御する事により実現したものであり、ステップモータの駆動制御回路は図８より電流制限抵抗２３７、トランジスタ２３６、ホールド信号２３５を削除したものとなる。Ｔ１，Ｔ３が回転制御区間であり、Ｔ２がホールド制御区間である。図中２４０、２４１、２４２、２４３はそれぞれステップモータの１相、２相、３相、４相の各タイミング信号である。
　【００３３】
　次に、テープカット前後にテープを逆転させる方法を説明する。
　【００３４】
　図１１は、テープカット前後にテープ送りを逆転・正転するタイミングチャートである。図に於て２４０、２４１、２４２、２４３はそれぞれステップモータ１０３の１相、２相、３相、４相の各駆動信号を示す。また、２５０はヘッドの通電信号、２５１はカッタ起動信号、２５２はカッタホームセンサの検出信号、２４４はヘッドホールド信号である。Ｔ１区間では通常のテープ送り（ｔ１、ｔ２，ｔ３，ｔ４）と通電（ｔ５）を行っている。Ｔ６は１ドット列分のテープ送り時間を示す。カット位置にくるとテープ送りを逆転させ（Ｔ４）、テープカットを行う（Ｔ２）。その後逆転させたテープを正転させカット前の位置にテープを戻す（Ｔ５）。そしてテープ送りと印刷を再開する（Ｔ３）。テープカットに際しては、前述したように、ステップモータのホールド信号２４４もしくはチョッピング制御によりホールドする。その間カッタを駆動するＤＣモータ１４６をカッタ駆動信号２５１により起動する。オートカットが終了したことを示す信号がカッタホーム検出器１５９よりホーム位置検出信号２５２として出力されるので、そのカッタホーム検出信号２５２を検出した時点でオートカッタ駆動信号２５１を停止する。次にホールド信号２４４を停止し印刷動作を再開する。図中ｔ１、ｔ２、ｔ３、ｔ４はそれぞれステップモータ１の１相、２相、３相、４相の駆動パルス時間を示し、ｔ５は印刷ヘッド６の通電時間、ｔ７はカッタの駆動時間、ｔ８とｔ９はカッタの検出器のパルス時間、ｔ６はテープ逆転後、電源が安定しカッタを駆動するまでの時間を示す。
　【００３５】
　テープカット時における、両面粘着テープと透明テープの状態を示したものが図１２である。図において、両面粘着テープ１５２と透明テープ１５１は、通常テープ送り出しの張力により引っ張られているが、テープ送りの逆転により、それぞれ１５２−１と１５１−１のようにたるませた状態となる。このとき、印刷ヘッド１０５の位置では、透明テープ１５１とインクリボン１５３は印刷ヘッド１０５とプラテンローラ１４９に圧着され動くことはない。ここでテープカットされると、両面粘着テープ１５２−１と透明テープ１５１−１はカッタに引っ張られわずかに送られるが、やはり、透明テープ１５１とインクリボン１５３は印刷ヘッド１０５とプラテンローラ１４９に圧着され動くことはない。テープカット後にテープ送りは正転され、両面粘着テープ１５２−１と透明テープ１５１−１は元の張った状態に戻る。正転させるとき、逆転の時より少ないパルス数分戻すことにより、余分に引っ張り出してしまうことのないよう制御する。
　【００３６】
　逆転の有効性を図１３（ａ）図１３（ｂ）で説明する。図１３（ａ）図１３（ｂ）は、ステップモータ歯車１２２と伝達歯車１２３の契合部の略図である。図１３（ａ）は通常のテープ送りときの停止状態を、図１３（ｂ）は逆転のときの停止状態を示している。図１３（ａ）において矢印Ａ３１方向に回転するとテープを送り出す。この状態でカッタが動作すると、矢印Ａ３２方向にテープが引っ張られ伝達歯車は、破線１２３’のように動いてしまう。図１３（ｂ）の状態では、矢印Ａ３３方向にテープを逆転させており、このときカッタが動作して矢印Ａ３４方向に引っ張られても伝達歯車１２３は動くことができない。図１３（ａ）の現象は、他のテープ送りに係わるすべての歯車１２５、１２７、１２８についても起こるのでカット時にテープが引き出されるのは容易であり、その量も累積される。
　【００３７】
　図１４、図１５、図１６はテープカット時の逆転を含めた制御フローチャートである。
　【００３８】
　図１４において、ＬＭは前部マージン、ＰＬは印刷長、ＲＭは後部マージン、Ｃはテープ送りのドットカウンタ値を示す。Ｎはヘッドカッタ間のテープ送り距離をドット換算した数値である。これらの変数は、ＲＡＭ５７内の作業用領域６１内に確保される。
　【００３９】
　印刷スタートすると（ステップ３００）、まず、ＲＡＭ５７内の前部マージン設定値（ＬＭＧＮ）６８から前部マージンＬＭを計算する。この計算はミリメータをドットに計算する。（ステップ３０１）
　　ＬＭ＝ＬＭＧＮ（ｍｍ）／ｄ１　（ｄ１はテープ送りドット間距離。図６参照）
次に、印刷長ＰＬを計算する。印刷長ＰＬは印刷文字の幅（ＷＩＤＥ）６４と文字数と文字間スペース（ＣＳＰＣ）６６で計算する。（ステップ３０２）
　　ＰＬ＝ＷＩＤＥ×文字数＋ＣＰＳＣ×（文字数−１）
次に、後部マージンＲＭを計算する。後部マージンＲＭは、テープ長設定（ＴＬＮＧ）６７から前部マージンＬＭと印刷長ＰＬを引けば良い。（ステップ３０３）
　　ＲＭ＝ＴＬＮＧ−ＬＭ−ＰＬ
計算した後部マージンＲＭが負であれば、テープ長の設定値が短いため、エラーとする。（ステップ３０４，３０５）
テープ送りのドットカウンタＣを初期化する。（ステップ３０６）
　まず、前部マージンのテープ送りを行う（Ｓ１）。すなわち、ＬＭが０になるまで（ステップ３０９）１ドット送り（ステップ３１１）とＬＭを−１して、カウンタＣを＋１してゆく（ステップ３１０）。この時Ｃの値がカット位置に来たかどうかをＣとＮを比較することでチェックする。（ステップ３０７）カット位置に来たならば、カット制御Ａを行う。（図１５）
　同様に、印刷動作を行う（Ｓ２）。（ステップ３１２〜３１７）印刷動作が前部マージンのテープ送りと異なるのは１ドット送り毎に１ドット列の印刷を行うことと（ステップ３１７）、カット制御Ｂを行う（ステップ３１３）ことである。カット制御Ｂとカット制御Ａの違いは、テープ送りの逆転・正転を行うか行わないかの違いである。
　【００４０】
　前部マージンと同様に、後部マージンのテープ送りを行う（Ｓ３）。（ステップ３１８〜３２２）
　前部マージンのテープ送り、印刷のテープ送り、後部マージンのテープ送りにおいてカッタ位置が来る（Ｃ＝Ｎとなる）のは、必ず１回であるから、カット制御のステップ３０８，３１３，３１９はどれか１箇所でカットが行われる。
　【００４１】
　後部マージン送り後、テープのカットを行う。Ｎドットテープ送りをした後（ステップ３２３）カット制御Ａを行なって（ステップ３２４）印刷制御を終了する（ステップ３２５）。
　【００４２】
　図１５は、カット制御Ａ（逆転をしない場合）のフローチャートである。図に於てＴは、ＣＰＵ５０内部のタイマーであり（図示しない）、ＴＮはカッタのタイムアウト時間である。まず、タイマーＴのタイムアウト時間ＴＮをセットする。（ステップ３３１）そして、カッタ駆動するＤＣモータ１４６を起動する（ステップ３３２）。カッタホームセンサ１５９の信号がＯＮになるまで（ステップ３３３）タイマーＴを−１減じてゆき（ステップ３３４）、タイマーＴが０になったところでタイムアウトと判断し（ステップ３３５）、カッタ作動エラーとする（ステップ３３６）。タイムアウトになる前にカッタホームセンサ１５９がＯＮとなれば、センサ１５９がＯＦＦしてから（ステップ３３７）、ＤＣモータを停止して（ステップ３３８）終了する（ステップ３３９）。
　【００４３】
　図１６は、カット制御Ｂ（逆転する場合）のフローチャートである。図において、Ｗ１は逆転のステップ数で、Ｗ２は正転のステップ数であり、必ず
　　Ｗ２≦Ｗ１
である。
　【００４４】
　カット制御Ｂでは、カット制御Ａを呼ぶ（ステップ３４２）前にＷ１ドット分のテープの逆転送りを行い（ステップ３４１）、カット制御Ａの後にＷ２ドット分のテープの正転送りを行う（ステップ３４３）。
　【００４５】
　印刷中のカット制御により図７で示した、前部後部マージンにてカットするテープ印刷が可能となる。
　【００４６】
　次に、前部マージンとテープ長の設定手段を説明する。
　【００４７】
　図１７は、本発明のテーププリンタの主制御ルーチンのフローである。電源ＯＮで（ステップ３５０）まずシステム初期化を行う（ステップ３５１）。続いてプリンタ機構部の初期化を行う（ステップ３５２）。プリンタ機構部の初期化では、カッタをホーム位置に移動する。３５３で編集バッファ５８の文字を表示し、キー入力待ちを行う（ステップ３５４）。入力されたキーが文字キーならば（ステップ３５５）、編集バッファ５８へ入力する（ステップ３５６）。文字キーでなければ制御キー判定を行い（ステップ３５８）、制御キーに従って動作する。ＳＨＩＦＴキー、ＣＡＰＳキーでは次の文字を入力待ちし（ステップ３５９，３６２）、入力されたキーが文字キーならば（ステップ３６０，３６３）、それぞれ記号・大文字に変換し（ステップ３６１，３６４）編集バッファに入力する。文字キーでなければ、そのキーを無視し次のキーを入力待ちする（ステップ３５４）。制御キー判定において、ＦＵＮＣキーならば、次のキーを入力待ちし（ステップ３６５）、文字キーならば（ステップ３６６）ファンクションキー判定を行い（ステップ３６７）ファンクション機能を動作させる。ファンクションキー判定において、入力キーが数字キーの１、２、３、４、５、６、ならば、それぞれ文字高さ設定（ステップ３７１）、文字幅設定（ステップ３７２）、文字装飾設定（ステップ３７３）、文字間スペース設定（ステップ３７４）、テープ長設定（ステップ３７５）、前部マージン設定（ステップ３７６）を行う。数字キーは図１においてキーボード２０の所定のキーに配置される。印刷指令キーならばリピート印刷を行う（ステップ３７７）。制御キー判定（ステップ３５８）において、印刷指令キーならば印刷処理を行い（ステップ３６８）、カーソルキーならばカーソル移動を行い（ステップ３６９）、改行キーならば改行動作を行う（ステップ３７０）。
　【００４８】
　テープ長設定（ステップ３７５）と前部マージン設定（ステップ３７６）においては、表示装置１５上に見出しと現在の設定値がミリメートルの単位で表示され、カーソルキーで数値を上下させるか、数字キーで数値を直接入力するかして、改行キーで数値を確定する。ここで、後部マージンの設定手段は不要である。すなわち、テープの設定手段と前部マージンの設定手段と文字幅の設定手段、文字間スペース設定手段があれば後部マージンは自動的に決定するからである。
　【００４９】
　【発明の効果】
　以上に述べたように本発明によれば、前部の余白と後部の余白とを簡単な操作で選択設定できるので、使いやすいテーププリンタをユーザに提供することができる。
【図面の簡単な説明】
　【図１】
　本発明の一実施形態のテーププリンタの外観図。
　【図２】
　本発明の一実施形態のテーププリンタの構造を示す上面図。
　【図３】
　本発明の一実施形態のテーププリンタの構造を示す側面図。
　【図４】
　本発明の一実施形態のテーププリンタにテープカセットを装着した様子を示す上面図。
　【図５】
　本発明の一実施形態のテーププリンタの全体構成を示すブロック図。
　【図６】
　本発明の一実施形態のテーププリンタの印刷制御を示す模式図。
　【図７】
　本発明の一実施形態のテーププリンタの印刷制御を示す模式図。
　【図８】
　本発明の一実施形態のテーププリンタのテープ送りモータの回路図。
　【図９】
　本発明の一実施形態のテーププリンタのテープ送りモータの制御タイミング図。
　【図１０】
　本発明の一実施形態のテーププリンタのテープ送りモータの制御タイミング図。
　【図１１】
　本発明の一実施形態のテーププリンタのカット制御を示すタイミング図。
　【図１２】
　本発明の一実施形態のテーププリンタのカット制御の時のテープの略図。
　【図１３】
　本発明の一実施形態のテーププリンタのカット制御の時の歯車の略図。
　【図１４】
　本発明の一実施形態のテーププリンタのカット制御を示すフローチャート図。
　【図１５】
　本発明の一実施形態のテーププリンタのカット制御を示すフローチャート図。
　【図１６】
　本発明の一実施形態のテーププリンタのカット制御を示すフローチャート図。
　【図１７】
　本発明の一実施形態のテーププリンタの主制御を示すフローチャート図。
　【符号の説明】
　１５　液晶表示装置
　２０　キーボード
　５０　ＣＰＵ
　５２　ＲＯＭ
　５７　ＲＡＭ
　１０３　テープ送りモータ
　１０５　印刷ヘッド
　１１１　テープ送りローラ
　１４６　カッタ駆動モータ
　１３４　カッタ固定刃
　１３５　カッタ可動刃
　１４９　プラテンローラ
　１５０　テープ押さえローラ
　１５１　透明テープ
【図面】